(57)【要約】【課題】  ブラダー本体の表面に任意の付属物を簡単かつ安定的に設置することを可能にしたタイヤ用ブラダーを提供する。【解決手段】  タイヤ製造過程において使用されるタイヤ用ブラダー１０において、円筒状をなすブラダー本体１１と、該ブラダー本体１１の表面に装着された面ファスナー１２とを備える。任意の付属物１３は面ファスナー１２を介してブラダー本体１１の表面に装着される。【選択図】図３
2018012206.tif 000002
【特許請求の範囲】
【請求項１】
タイヤ製造過程において使用されるタイヤ用ブラダーにおいて、円筒状をなすブラダー本体と、該ブラダー本体の表面に装着された面ファスナーとを備えることを特徴とするタイヤ用ブラダー。
【請求項２】
前記面ファスナーを介して前記ブラダー本体の表面に装着された任意の付属物を備えることを特徴とする請求項１に記載のタイヤ用ブラダー。
【請求項３】
前記面ファスナーが縫合部材、係止部材又は接着剤により前記ブラダー本体の表面に固定されていることを特徴とする請求項１又は２に記載のタイヤ用ブラダー。
【請求項４】
前記面ファスナーが前記ブラダー本体の表面に加硫接着されていることを特徴とする請求項１〜３のいずれかに記載のタイヤ用ブラダー。
【請求項５】
前記面ファスナーが、シート状の基材と、該基材の一方の面に形成された複数本の係合素子と、該基材の他方の面に形成された複数本のアンカー素子とから構成されることを特徴とする請求項１〜４のいずれかに記載のタイヤ用ブラダー。
【請求項６】
前記アンカー素子の高さが０．３ｍｍ〜２．０ｍｍであることを特徴とする請求項１〜５のいずれかに記載のタイヤ用ブラダー。
【発明の詳細な説明】
【技術分野】
【０００１】
本発明は、タイヤ製造過程において使用されるタイヤ用ブラダーに関し、更に詳しくは、ブラダー本体の表面に任意の付属物を簡単かつ安定的に設置することを可能にしたタイヤ用ブラダーに関する。
【背景技術】
【０００２】
空気入りタイヤを成形する工程において、ブラダーをグリーンタイヤの内側に配置し、そのブラダーの中に内圧を充填することにより、グリーンタイヤを支持したり、グリーンタイヤそのものを変形させたりすることが行われている。また、加硫工程においては、グリーンタイヤの内側でブラダーを膨らませることにより、グリーンタイヤを金型の成形面に対して押圧すると共に、ブラダー内部に充填された熱媒体によりグリーンタイヤを加熱することが行われている。
【０００３】
このようにして使用されるタイヤ用ブラダーの膨らみ方、即ち、歪み分布が不均一であると、それが製品タイヤの品質に対して直接的に悪影響を与えることになる。そのため、タイヤ製造過程においてブラダーの膨らみ方を観測することは重要である。ところが、ブラダーはグリーンタイヤの内側に配置されるため、タイヤの外側からブラダーの膨らみ方を確認することはできない。
【０００４】
一方、加硫工程においては、歪み分布のみならず、ブラダー内部に充填された熱媒体の温度を観測することも重要である。しかし、ブラダー内部に充填された熱媒体の温度をタイヤの外側から観測することは更に困難である。
【０００５】
このような問題を解決するために、歪みや温度を計測するためのセンサをブラダーの表面に設置することが有効である。しかしながら、ブラダーは厚さが比較的薄くゴム主体で構成されているため、センサをブラダーに対して安定的に設置することは困難である。
【０００６】
これに対して、空気入りタイヤの加硫工程において、ブラダー内部の温度を測定する方法として、ブラダー内面に突起を一体的に成形し、その突起に温度センサを装着することが提案されている（例えば、特許文献１参照）。しかしながら、ブラダー内面に成形された突起を利用してセンサ等の付属物を装着する場合、その装着作業が煩わしく、しかも付属物を安定的に設置することは難しいのが現状である。
【先行技術文献】
【特許文献】
【０００７】
【特許文献１】特開２０１５−２２３７７６号公報
【発明の概要】
【発明が解決しようとする課題】
【０００８】
本発明の目的は、ブラダー本体の表面に任意の付属物を簡単かつ安定的に設置することを可能にしたタイヤ用ブラダーを提供することにある。
【課題を解決するための手段】
【０００９】
上記目的を達成するための本発明のタイヤ用ブラダーは、タイヤ製造過程において使用されるタイヤ用ブラダーにおいて、円筒状をなすブラダー本体と、該ブラダー本体の表面に装着された面ファスナーとを備えることを特徴とするものである。
【発明の効果】
【００１０】
本発明では、ブラダー本体の表面に面ファスナーを備え付けることにより、その面ファスナーを介してブラダー本体の表面に任意の付属物を簡単かつ安定的に設置することができる。そして、ブラダー本体の表面に対して付属物が安定的に設置されるので、タイヤ製造過程において付属物を有効に活用することができる。例えば、付属物を温度センサとした場合、タイヤ製造過程においてブラダーの内部温度を測定することができ、付属物を歪みセンサとした場合、タイヤ製造過程においてブラダー本体の歪みを検出することができる。
【００１１】
ブラダー本体の表面への面ファスナーの固定状態は、特に限定されるものではなく、例えば、面ファスナーは縫合部材、係止部材又は接着剤によりブラダー本体の表面に固定されることが可能である。つまり、面ファスナーをミシンによりブラダー本体の表面に縫合したり、面ファスナーをステープル等でブラダー本体の表面に係止したり、面ファスナーを接着剤でブラダー本体の表面に接着することができる。最も好ましい固定状態は、面ファスナーをブラダー本体に対して加硫接着すること、即ち、面ファスナーをブラダー本体に対して一体的に固着させることである。
【００１２】
面ファスナーは、シート状の基材と、該基材の一方の面に形成された複数本の係合素子と、該基材の他方の面に形成された複数本のアンカー素子とから構成されることが好ましい。この場合、アンカー素子がブラダー本体に埋没することで、ブラダー本体と面ファスナーとの間に強固な結合が形成される。アンカー素子がブラダー本体に食い込んで機械的な結合力を確保するために、アンカー素子の高さは０．３ｍｍ〜２．０ｍｍであると良い。
【図面の簡単な説明】
【００１３】
【図１】本発明が適用されるタイヤ用ブラダー（成形用）の一例を示す子午線断面図である。
【図２】本発明が適用されるタイヤ用ブラダー（加硫用）の一例を示す子午線断面図である。
【図３】本発明の実施形態からなるタイヤ用ブラダーを示す子午線断面図である。
【図４】（ａ），（ｂ）はそれぞれ本発明の実施形態からなるタイヤ用ブラダーを示す切り欠き斜視図である。
【図５】ブラダー本体の表面に面ファスナーが縫合部材により固定された状態を示す断面図である。
【図６】ブラダー本体の表面に面ファスナーが係止部材により固定された状態を示す断面図である。
【図７】ブラダー本体の表面に面ファスナーが接着剤により固定された状態を示す断面図である。
【図８】ブラダー本体の表面に面ファスナーが加硫接着された状態を示す断面図である。
【図９】（ａ）〜（ｄ）はそれぞれ面ファスナーの変形例を示す側面図である。
【発明を実施するための形態】
【００１４】
以下、本発明の構成について添付の図面を参照しながら詳細に説明する。図１は本発明が適用されるタイヤ用ブラダーの一例を示すものである。図１において、ブラダー１０はグリーンタイヤＧの成形工程において使用されるものである。このブラダー１０は円筒状をなし、一対ビード支持部材２０，２０により支持されたグリーンタイヤＧの内側に同軸的に挿入される。そして、ブラダー１０をグリーンタイヤＧの内側で膨らませることにより、グリーンタイヤＧを所望の形状に変形させるように機能する。
【００１５】
図２は本発明が適用されるタイヤ用ブラダーの他の例を示すものである。図２において、ブラダー１０はグリーンタイヤＧの加硫工程において使用されるものである。このブラダー１０は円筒状をなし、金型３０内に投入されたグリーンタイヤＧの内側に同軸的に挿入される。そして、ブラダー１０をグリーンタイヤＧの内側で膨らませることにより、グリーンタイヤＧを金型３０の成形面に対して押圧するように機能する。図２において、金型３０は下型３１、上型３２及びセクター３３から構成されている。また、ブラダー１０の下端部は下型３１と下側クランプリング３４との間に把持され、ブラダー１０の上端部は上側クランプリング３５と補助リング３６との間に把持されている。
【００１６】
図３は本発明の実施形態からなるタイヤ用ブラダーを示すものであり、図１に示すタイヤ成形用ブラダー又は図２に示すタイヤ加硫用ブラダーとして使用される。図３に示すように、ブラダー１０は、円筒状に成形されたブラダー本体１１と、ブラダー本体１１の内表面に装着された面ファスナー１２とを備えている。ブラダー本体１１の軸方向の両端部にはそれぞれフランジ部が形成されている。一方、ブラダー本体１１の内表面に装着されるべき付属物１３には面ファスナー１２と対をなす他の面ファスナー１４が装着されている。これら面ファスナー１２，１４を互いに係合させることにより、ブラダー本体１１の内表面に対して付属物１３が設置される。
【００１７】
上述したタイヤ用ブラダー１０によれば、ブラダー本体１１の内表面に面ファスナー１２を備え付けることにより、その面ファスナー１２を介してブラダー本体１１の内表面にセンサ等の任意の付属物１２を簡単かつ安定的に設置することができる。付属物１３を温度センサとした場合、タイヤ製造過程においてブラダー１０の内部温度を測定することができる。また、付属物１３を歪みセンサとした場合、タイヤ製造過程においてブラダー本体１１の歪みを検出することができる。例えば、一対の面ファスナー１２を跨ぐように該一対の面ファスナー１２に対して導電性部材を装着し、その抵抗値の変化を測定することにより、歪みセンサを構成することができる。
【００１８】
上記タイヤ用ブラダー１０において、面ファスナー１２の設置箇所は適宜選択することができる。例えば、図４（ａ）においては、ブラダー本体１１の周方向に延在する帯状の面ファスナー１２がブラダー本体１１の軸方向中央部に配置されている。この場合、面ファスナー１２自体が伸縮性を有することが望ましい。図４（ｂ）においては、複数個の面ファスナー１２がブラダー本体１１の内表面に点在するように配置されている。特に、ブラダー本体１１の伸縮を妨げないように、各面ファスナー１２の面積を小さくし、必要な係合力に応じて面ファスナー１２の個数を増やし、それらを離散させると良い。例えば、各面ファスナー１２の面積は１００ｍｍ2以下であると良い。
【００１９】
図５〜図７はそれぞれブラダー本体の内表面に面ファスナーが固定された状態を示すものである。図５〜図７に示すように、面ファスナー１２は、シート状の基材１２Ａと、該基材１２Ａの一方の面に形成された複数本の係合素子１２Ｂとから構成されている。図５において、面ファスナー１２は縫合糸からなる縫合部材１５によりブラダー本体１１の内表面に対して縫い付けられている。図６において、面ファスナー１２はステープルならなる係止部材１６によりブラダー本体１１の内表面に対して係止されている。このような縫合部材１５又は係止部材１６はブラダー本体１１のゲージが厚い場合に有効である。図７において、面ファスナー１２は接着剤１７によりブラダー本体１１の内表面に対して接着されている。
【００２０】
図８はブラダー本体の内表面に面ファスナーが加硫接着された状態を示すものである。図８に示すように、面ファスナー１２は、シート状の基材１２Ａと、該基材１２Ａの一方の面に形成された複数本の係合素子１２Ｂと、該基材１２Ａの他方の面に形成された複数本のアンカー素子１２Ｃとから構成されている。この場合、アンカー素子１２Ｃがブラダー本体１１に埋没することで、ブラダー本体１１と面ファスナー１２との間に強固な結合が形成される。特に、面ファスナー１２をブラダー本体１１に対して加硫接着する場合、アンカー素子１２Ｃに基づいて面ファスナー１２をブラダー本体１１に対して簡単かつ強固に固定することができる。なお、アンカー素子１２Ｃがない場合であっても面ファスナー１２をブラダー本体１１に対して加硫接着することが可能である。
【００２１】
アンカー素子１２Ｃの高さは０．３ｍｍ〜２．０ｍｍであると良い。これにより、アンカー素子１２Ｃがブラダー本体１１に食い込んで機械的な結合力を十分に確保することができる。アンカー素子１２Ｃの高さは小さ過ぎるとアンカー効果が得られず、逆に大き過ぎるとブラダー本体１１を損傷させる恐れがある。
【００２２】
図９（ａ）〜（ｄ）はそれぞれ面ファスナーの変形例を示すものである。図９（ａ）において、面ファスナー１２は基材１２Ａとループ状の係合素子１２Ｂとを備え、これと対をなす面ファスナー１４は基材１４Ａとフック状の係合素子１４Ｂとを備えている。図９（ｂ）において、面ファスナー１２は基材１２Ａとループ状の係合素子１２Ｂとを備え、これと対をなす面ファスナー１４は基材１４Ａと先端が二股に分岐した係合素子１４Ｂとを備えている。図９（ｃ）において、面ファスナー１２は基材１２Ａと基端が棒状で先端が球状に膨らんだ係合素子１２Ｂとを備え、これと対をなす面ファスナー１４は基材１４Ａと基端が棒状で先端が球状に膨らんだ係合素子１４Ｂとを備えている。図９（ｄ）において、面ファスナー１２は基材１２Ａとループ状の係合素子１２Ｂとを備え、これと対をなす面ファスナー１４は基材１４Ａと基端が棒状で先端が傘状に膨らんだ係合素子１４Ｂとを備えている。いずれの場合も、面ファスナー１２，１４の係合素子１２Ｂ，１４Ｂが互いに係合するようになっている。
【００２３】
上述した実施形態では、ブラダー本体１１の内表面に面ファスナー１２を装着した場合について説明したが、本発明では面ファスナー１２をブラダー本体１１の外表面に装着することも可能である。面ファスナー１２をブラダー本体１１の外表面に装着した場合、付属物１３がグリーンタイヤＧと接触することになるが、例えば、タイヤ製造に関する試験工程においては何ら不都合を生じるものではない。
【００２４】
また、本発明は上述のようにタイヤ内側に挿入されるブラダーに適用することが好ましいが、例えば、タイヤ製造過程においてカーカス部材をターンナップする際に使用されるブラダーにも適用することが可能である。
【符号の説明】
【００２５】
１０  ブラダー
１１  ブラダー本体
１２  面ファスナー
１２Ａ  基材
１２Ｂ  係合素子
１２Ｃ  アンカー素子
１３  付属物
１４  他の面ファスナー
１５  縫合部材
１６  係止部材
１７  接着剤
【図１】
2018012206.tif 000003
【図２】
2018012206.tif 000004
【図３】
2018012206.tif 000005
【図４】
2018012206.tif 000006
【図５】
2018012206.tif 000007
【図６】
2018012206.tif 000008
【図７】
2018012206.tif 000009
【図８】
2018012206.tif 000010
【図９】
2018012206.tif 000011